(57)【要約】【課題】軒樋切断補助具を軒樋の外面側から被嵌できるようにし、軒樋の切断時に係止部が載置面に干渉することを防止する。【解決手段】軒樋２の外面に沿う底部１１及び両側壁部１２、１３を備える。両側壁部１２、１３の先端を載置面に載置される被載置部１９とする。両側壁部１２、１３の内面に軒樋２の耳部６、１０に係止可能な係止部１６、１７を形成する。両係止部１６、１７のうち少なくとも一方の係止部１６（又は１７）を、側壁部１２（又は１３）の内面に弾性変形可能な連結片１８、（又は２４）を介して連結する。また側壁部１２（又は１３）の内面に近づいて軒樋２の耳部６（又は１０）を係止する状態から、側壁部１２（又は１３）の内面から離れて耳部６（又は１０）から外れる状態まで、前記連結片１８（又は２４）を支点として回動自在とする。【選択図】図１
2007262762.tif 000002
【特許請求の範囲】
【請求項１】
軒樋の外面に沿う底部及び両側壁部を備え、軒樋の長手方向の一部の外面に沿って着脱自在に被嵌されて、端部が切断具のガイドとして利用される軒樋切断補助具であって、両側壁部の内面に、対応する軒樋の耳部に係止可能な係止部を形成すると共に、両係止部を底部から突出した両側壁部の先端を結ぶ仮想線よりも外側に突出しない位置に配置し、両係止部のうち少なくとも一方の係止部を、側壁部の内面に弾性変形可能な連結片を介して連結すると共に、側壁部の内面に近づいて軒樋の耳部を係止する状態から、側壁部の内面から離れて耳部から外れる状態まで、前記連結片を支点として回動自在とすることを特徴とする軒樋切断補助具。
【発明の詳細な説明】
【技術分野】
【０００１】
本発明は軒樋の長手方向の一部の外面に沿って着脱自在に被嵌されて、この被嵌状態において端部を切断具のガイド面として利用する軒樋切断補助具に関する。
【背景技術】
【０００２】
従来、長尺な軒樋２を長手方向と直交する方向に切断するには図４に示すような軒樋切断補助具１を利用していた。この軒樋切断補助具１は軒樋２の外面に沿う底部及び両側壁部を備えており、該軒樋切断補助具１を軒樋２の外面に被嵌し、例えばこの軒樋２を図４のように上下逆にして地面等の水平な載置面３４に載置し、この状態で軒樋切断補助具１の端部を鋸のような切断具のガイドとして利用しつつ該切断具で軒樋２を底面部３側から切断する。ここで外面に軒樋切断補助具１を被嵌した軒樋２を上下逆にするのは、軒樋２を側面部４、５側から切断した場合、切断時に先端が自由端となった軒樋切断補助具１の側壁部１２や軒樋２の側面部４、５が変形しやすく、精度良く軒樋２を切断できないからである。
【０００３】
ところでこの種の軒樋切断補助具１には、軒樋切断補助具１を長尺な軒樋２の長手方向における一部の外面に被嵌するにあたって、軒樋切断補助具１を軒樋２の長手方向の一端からスライドして被嵌するものがあるが、このものは軒樋２への被嵌に手間がかかり非常に面倒である。
【０００４】
また例えば特許文献１に示すような軒樋切断補助具１は、図５のように底部１１の両側から突出した側壁部１２、１３の先端に軒樋２の両耳部６、１０に係止可能な係止部３２、３３を形成し、この係止部３２、３３のうち一方の係止部３３を弾性変形可能な薄肉片状に形成し、これにより係止部３３を図５の矢印に示すように弾性変形させて、軒樋切断補助具１を軒樋２の外面側から被嵌できるようにしている。
【０００５】
ここで図５の軒樋切断補助具１にあっては、薄肉片状で弾性変形可能な係止部３３の上端を軒樋２の切断時に載置面３４に載置される被載置部としているのだが、このように弾性変形可能な係止部３３を被載置部として利用した場合、切断具による切断時に軒樋２及び軒樋切断補助具１が載置面側に押し込まれた際に、前記薄肉片状の係止部３３が大きく変形して、耳部６から外れたり、破損する恐れがある。
【特許文献１】特開２００５−２７３３３４
【発明の開示】
【発明が解決しようとする課題】
【０００６】
本発明は上記従来の問題点に鑑みて発明したものであって、軒樋切断補助具を軒樋の外面側から被嵌できて手間がかからず、しかも外面に軒樋切断補助具を被嵌した軒樋を上下逆にして載置面に載置したとした場合に、軒樋の切断時に係止部が載置面に干渉することを防止できる軒樋切断補助具を提供することを課題とするものである。
【課題を解決するための手段】
【０００７】
上記課題を解決するために本発明に係る軒樋切断補助具は、軒樋２の外面に沿う底部１１及び両側壁部１２、１３を備え、軒樋２の長手方向の一部の外面に沿って着脱自在に被嵌されて、端部が切断具のガイドとして利用される軒樋切断補助具１であって、両側壁部１２、１３の内面に、対応する軒樋２の耳部６、１０に係止可能な係止部１６、１７を形成すると共に、両係止部１６、１７を底部１１から突出した両側壁部１２、１３の先端を結ぶ仮想線イよりも外側に突出しない位置に配置し、両係止部１６、１７のうち少なくとも一方の係止部１６（又は１７）を、側壁部１２（又は１３）の内面に弾性変形可能な連結片１８、（又は２４）を介して連結すると共に、側壁部１２（又は１３）の内面に近づいて軒樋２の耳部６（又は１０）を係止する状態から、側壁部１２（又は１３）の内面から離れて耳部６（又は１０）から外れる状態まで、前記連結片１８、（又は２４）を支点として回動自在とすることを特徴とするものである。
【０００８】
このように係止部１６（又は１７）を弾性変形可能な連結片１８（又は２４）を介して連結することで、軒樋切断補助具１を軒樋２の長手方向の一端側からではなく軒樋２の外面側から被嵌することができ、軒樋２への被嵌に手間がかかない。また係止部１６（又は１７）を連結片１８（又は２４）を支点として回動することで、係止部１６（又は１７）と耳部６（又は１０）の係止を簡単に解除できる。またこの軒樋切断補助具１の弾性変形可能な連結片１８（又は２４）を介して連結した係止部１６（又は１７）は両側壁部１２、１３の内面に形成し、両係止部１６、１７を両側壁部１２、１３の先端を結ぶ仮想線イよりも外側に出ない位置に配置したので、軒樋２を切断するにあたって軒樋切断補助具１を両被載置部１９を水平な載置面に載置した場合に載置面に干渉しない。従って軒樋２の切断時に係止部１６（又は１７）が載置面に干渉して、係止部１６（又は１７）と耳部６（又は１０）の係止が外れたり、係止部１６（又は１７）が破損したりすることを防止できる。
【発明の効果】
【０００９】
本発明では軒樋切断補助具を軒樋の長手方向の一端側からではなく軒樋の外面側から被嵌することができ、軒樋への被嵌に手間がかからず、しかも軒樋の切断時に係止部が載置面に干渉して、係止部と耳部の係止が外れたり、係止部が破損したりすることを防止できる。
【発明を実施するための最良の形態】
【００１０】
以下、本発明を添付図面に示す実施形態に基づいて説明する。
【００１１】
本発明の軒樋切断補助具１は軒樋２の長手方向における一部の外面に軒樋２の外面側から着脱自在に被嵌可能なものである。この軒樋切断補助具１を利用して切断される軒樋２は、図１や図２に示すように底面部３と、底面部３の両側端に立設した側面部４、５を備え、全体として上方に開口する断面略Ｕ字状をしている。
【００１２】
両側面部４、５のうち軒先に取付けた時に屋外側に位置する屋外側面部４は先端側に行く程外側に位置するように傾斜している。屋外側面部４の先端には屋外側耳部６を一体に形成している。屋外側耳部６は、屋外側面部４の先端部と、屋外側面部４の先端から内側（対向する建物側面部５側）に向けて突出する接続横片７と、該接続横片７の先端から底面部３側に突出した中空の耳部本体８で構成され、屋外側耳部６の外側端部（接続横片７と屋外側面部４からなる角部）からは底面部３とは反対側の上方に向けて嵌込突部９を突出している。
【００１３】
また軒樋２の軒先に取付けた時に建物側に位置する建物側面部５は底面部３から略垂直に突出し、この建物側面部５の高さは屋外側面部４の高さよりも低い。建物側面部５の先端部には内側（対向する屋外側面部４側）に向けて中空の建物側耳部１０を一体に突出している。
【００１４】
上記軒樋２を切断する際に利用される軒樋切断補助具１は、図３に示すように軒樋２の外面に沿う底部１１、一側壁部１２、他側壁部１３を備え、両端及び上方が開口した断面略Ｕ字状をしている。つまり軒樋切断補助具１の底部１１、一側壁部１２、他側壁部１３は、軒樋２の底面部３、屋外側面部４、建物側面部５の夫々に対応している。底部１１の両側に立設した両側壁部１２、１３の高さは略同じであり、各側壁部１２、１３の先端を地面等の載置面に載置される被載置部１９としている。
【００１５】
軒樋切断補助具１の両端部（つまり軒樋２に被嵌した時に軒樋２の長手方向と平行となる前後方向の両端部）の夫々には外方に向けて突出するフランジ部１４を周方向全長に亘って設けている。各フランジ部１４はその厚み方向の外側の面が底部１１の端面及び両側壁部１２、１３の端面と面一となるように形成してあり、この各フランジ部１４によって面積が大きくなった軒樋切断補助具１の両端面を手動又は電動の鋸のような切断具のガイド面１５としている。また各フランジ部１４の外周側面の中央部にはガイド溝３０を全長に亘って周設してあり、電動鋸のガイド部（図示せず）をガイド溝３０に嵌め込んでガイドできるようになっている。
【００１６】
軒樋切断補助具１の両側壁部１２、１３の内面には各側壁部１２、１３から内側に向けて一体に突出する係止部１６、１７を前後方向における全長に亘って形成してあり、各係止部１６、１７は対応する軒樋２の屋外側面部４、５の耳部６、１０に係止可能となっている。
【００１７】
両係止部１６、１７のうち屋外側耳部６に対応する一側係止部１６は薄肉片状で弾性変形可能な一側連結片１８を介して一側壁部１２の先端部の内面に一体に接続してある。一側連結片１８は軒樋切断補助具１の前後方向における全長に亘って形成され、一側壁部１２の内面から底部１１側に向けて突出している。一側連結片１８の先端に接続した一側係止部１６は中空で断面略三角形状に形成され、一側連結片１８の先端をさらに底部１１側に延出してなる延出片２０と、延出片２０の基端から一側壁部１２と反対側に向けて突出する横片２１と、横片２１と延出片２０の先端同士を接続する連絡片２２とを備えている。一側係止部１６の底部１１側の端部（つまり延出片２０と連絡片２２とでなる角部）は一側壁部１２の内面近傍に位置してこの間に若干の隙間２３を形成している。軒樋２の屋外側耳部６の上端部に形成した嵌込突部９は隙間２３よりも若干幅が大きく、この嵌込突部９を隙間２３に底部１１側から挿入することで、一側連結片１８を弾性変形させて隙間２３を押し広げて該隙間２３に嵌込突部９を嵌め込めるようにしてある。
【００１８】
また一側係止部１６の一側壁部１２と反対側の端部（つまり横片２１と連絡片２２とでなる角部）には、連絡片２２の一端を横片２１よりも延出してなる操作部２９を形成してあり、この一側係止部１６から底部１１と反対側に向けて突出した操作部２９と一側壁部１２の先端部とを指で挟むことで、一側連結片１８をその先端側が一側壁部１２から離れるように弾性的に屈曲変形して、一側係止部１６を前記一側壁部１２の内面近傍に位置した状態から離れる方向に移動でき、この場合、前記隙間２３に嵌め込んだ屋外側耳部６の嵌込突部９を外し、屋外側耳部６と一側係止部１６の係止を解除できる。つまり一側係止部１６は、一側壁部１２の内面に近づいて屋外側耳部６を係止する状態から、一側壁部１２の内面から離れて屋外側耳部６から外れる状態まで、一側連結片１８を支点として回動自在となっている。また連絡片２２及び操作部２９の一側壁部１２と反対側の面は面一で且つ底部１１側程一側壁部１２側に位置するように傾斜した一側案内面３１となっている。
【００１９】
また両係止部１６、１７のうち建物側耳部１０に対応する他側係止部１７は薄肉片状で弾性変形可能な他側連結片２４を介して他側壁部１３の先端部の内面に一体に接続してある。他側連結片２４は軒樋切断補助具１の前後方向における全長に亘って形成され、他側壁部１３の内面から底部１１側に向けて突出している。他側連結片２４は底部１１側に行く程他側壁部１３から離れるように滑らかに湾曲し、他側壁部１３と反対側の面が他側壁部１３側にわずかに突となる弧状の他側案内面２６となっている。他側連結片２４の先端部からは突片２５を他側壁部１３側に横向きに突出してあり、該突片２５の先端は他側壁部１３の内面近傍に位置している。また他側連結片２４の先端は突片２５よりも底部１１側にやや突出して突部２７を形成している。突部２７と該突部２７に対向する他側壁部１３の間には底部１１側に開口する嵌込凹所２８が形成されるようにしてあり、該突部２７と突片２５とで前記他側係止部１７を構成している。他側係止部１７によって形成された嵌込凹所２８に該嵌込凹所２８よりも若干幅広の建物側耳部１０の上端部を底部１１側から挿入することで、他側連結片２４を弾性変形させて嵌込凹所２８を押し広げて該嵌込凹所２８に建物側耳部１０を嵌め込めるようにしてあり、これにより建物側耳部１０が他側係止部１７に係止される。
【００２０】
また他側連結片２４から突出した突片２５の先端は他側壁部１３の内面に近接しているが接続されておらず、他側連結片２４をその先端側が他側壁部１３から離れるように弾性的に屈曲変形することで、前記他側壁部１３の内面に近接した状態から離れる方向に移動できるようしてある。これにより他側連結片２４をその先端側が他側壁部１３から離れるように屈曲変形することで、嵌込凹所２８に嵌め込んだ建物側耳部１０を外して建物側耳部１０と他側係止部１７の係止を解除できるようにしてあり、つまり他側係止部１７は他側壁部１３の内面に近づいて建物側耳部１０を係止する状態から、他側壁部１３の内面から離れて建物側耳部１０から外れる状態まで、他側連結片２４を支点として回動自在となっている。
【００２１】
また図１や図３（ａ）に示すように上記軒樋切断補助具１の各係止部１６、１７は、連結片１８、２４を含めて、外力が加わっていない状態や耳部６、１０を係止した状態で、両被載置部１９（即ち両側壁部１２、１３の先端）同士を結ぶ仮想線イよりも外側に突出しない位置に配置してあり、つまり連結片１８、１９を含めた各係止部１６、１７の上端である操作部２９の先端は仮想線イ上又は仮想線イよりも底部１１側に位置している。これにより軒樋切断補助具１を底部１１側が上となるように図３（ａ）の状態から上下逆にして両載置部１９を水平な載置面に載置した状態では、各係止部１６、１７、各連結片１８、２４は載置面に接触しないようになっている。
【００２２】
上記軒樋切断補助具１を利用して切断具で軒樋２を切断する場合は、まず図２に示すように軒樋切断補助具１の内側に図中矢印に示すように長尺な軒樋２の長手方向の一部を上の開口側から挿入し、これにより図１に示すように軒樋２の長手方向の一部の外面側から軒樋切断補助具１を被嵌する。
【００２３】
ここで上記軒樋切断補助具１内に軒樋２の長手方向の一部を挿入する場合、軒樋２の屋外側面部４の外面及び建物側面部５の外面が軒樋切断補助具１の一側案内面３１及び他側案内面２６の夫々に沿って案内され、これにより軒樋２は両側面部４、５がその先端同士が近づくように弾性変形しながら、図１に示す軒樋切断補助具１を被嵌した所定位置にまで誘導される。そして軒樋２をその底面部３の外面が軒樋切断補助具１の底部１１の内面に当たる位置まで挿入すると、軒樋２の各耳部６、１０が一側案内面３１及び他側案内面２６の夫々を越えて、各耳部６、１１が各係止部１６、１７に係止される。しかして図１のように軒樋２の外面に軒樋切断補助具１が被嵌された状態では、一側係止部１６の底部１１側の端部で屋外側耳部６の接続横片７が上方から押さえつけられ、且つ一側係止部１６の底部１１側の端部と一側壁部１２の内面の間の隙間２３に嵌込突部９が弾接した状態で嵌め込まれる。また同時に他側係止部１７の突片２５で建物側耳部１０が上方から押さえつけられ、且つ建物側耳部１０の嵌込凹所２８に建物側耳部１０が弾接した状態で嵌め込まれる。
【００２４】
次に上記外面に軒樋切断補助具１を被嵌した軒樋２を上下逆にして、該軒樋切断補助具１の両被載置部１９を載置面に載置し、切断具の刃面を軒樋切断補助具１のガイド面１５に沿わせたり、ガイド溝３０で切断具のガイド部をガイドしながら、この切断具の刃で軒樋２を底部１１側から切断する。
【００２５】
そしてこのようにして軒樋２を長手方向と交差する方向（詳しくは直交する方向）に切断した後、該軒樋２から軒樋切断補助具１を取り外すには、操作部２９と一側壁部１２の先端部とを指で挟んで一側係止部１６の一部又は全部を仮想線イよりも上方に持ち上げ、一側係止部１６を一側連結片１８を支点として底部１１側の端部が一側壁部１２の内面から離れるように図１の矢印方向に回動し、これにより一側係止部１６と屋外側耳部６の係止を外し、同時に他側係止部１７と建物側耳部１０の係止を外し、この後、軒樋切断補助具１内から軒樋２を取り出す。
【００２６】
以上説明したように本発明の軒樋切断補助具１にあっては、両係止部１６、１７を弾性変形可能な連結片１８、２４を介して連結することで、軒樋切断補助具１を軒樋２の長手方向の一端側からではなく軒樋２の外面側から被嵌でき、軒樋２への被嵌に手間がかかない。また係止部１６、１７を連結片１８、２４を支点として回動することで、係止部１６、１７と耳部６、１０の係止を簡単に解除できる。さらには各係止部１６、１７を連結片１８、２４を支点として回動可能にしたことで、係止部１６、１７を変形しにくい中空形状等にできて、各係止部１６、１７と各耳部６、１０の係止を確実なものとできる。しかもこの軒樋切断補助具１の各係止部１６、１７は両側壁部１２、１３の内面に形成し、両側壁部１２、１３の先端を結ぶ仮想線イよりも外側に出ない位置に配置したので、軒樋２を切断するにあたって軒樋切断補助具１の両被載置部１９を水平な載置面に載置した場合に載置面に干渉しない。従って軒樋２の切断時に係止部１６、１７が載置面に干渉して、各係止部１６、１７と各耳部６、１０の係止が外れたり、各係止部１６、１７が破損したりすることを防止できる。
【００２７】
なお本例では両係止部１６、１７を共に側壁部１２、１３の内面に弾性変形可能な連結片１８、２４を介して連結し、側壁部１２、１３の内面に近づいて軒樋２の耳部６、１０を係止する状態から、側壁部１２、１３の内面から離れて耳部６、１０から外れる状態まで、連結片１８、２４を支点として回動自在としたが、一側係止部１６又は他側係止部１７のいずれか一方のみをこのようにしても良い。
【図面の簡単な説明】
【００２８】
【図１】本発明の実施の形態の一例の軒樋切断補助具を軒樋の外面に被嵌した状態を示す正面図である。
【図２】同上の軒樋切断補助具を軒樋の外面に被嵌する際の途中の段階を示す正面図である。
【図３】同上の軒樋切断補助具を示し、（ａ）は正面図、（ｂ）は平面図、（ｃ）は側面図である。
【図４】従来の軒樋切断補助具を軒樋の外面に被嵌して載置面に載置した状態を示す斜視図である。
【図５】他の従来の軒樋切断補助具を軒樋の外面に被嵌した状態を示す正面図である。
【符号の説明】
【００２９】
１  軒樋切断補助具
２  軒樋
６  屋外側耳部
１０  建物側耳部
１１  底部
１２  一側壁部
１３  他側壁部
１６  一側係止部
１７  他側係止部
１８  一側連結片
２４  他側連結片
【図１】
2007262762.tif 000003
【図２】
2007262762.tif 000004
【図３】
2007262762.tif 000005
【図４】
2007262762.tif 000006
【図５】
2007262762.tif 000007